(57)【要約】【課題】印刷のレイアウトが限定されることなく所望の情報を３次元形状物に印刷する。【解決手段】選択された印刷情報を３次元形状物のうち指定された領域に配置する印刷情報配置部２３において、印刷情報を配置する領域として、３次元形状物のうち複数面に跨る領域が指定された場合、選択された印刷情報を、その印刷情報が指定された複数面に跨って印刷されるように配置し、また、複数面のそれぞれに沿うように立体表示する。【選択図】図１
2008134788.tif 000002
【特許請求の範囲】
【請求項１】
３次元形状物に印刷が施される３次元製品を提供する３次元製品提供システムであって、
前記３次元形状物を画面上に立体表示させる立体表示手段と、
前記３次元形状物に印刷する印刷情報を選択させ、選択された印刷情報を前記画面上に平面表示させる印刷情報選択手段と、
前記印刷情報選択手段にて選択された印刷情報を前記立体表示手段にて立体表示された前記３次元形状物に重ね合わせることにより、前記３次元形状物にて前記印刷情報が印刷される配置領域を指定させ、前記印刷情報が前記３次元形状物の複数面に跨るように重ね合わされた場合、前記印刷情報が前記複数面に跨って印刷されるように当該印刷情報を配置する印刷情報配置手段と、
前記印刷情報配置手段にて前記印刷情報が配置された前記３次元形状物を展開する展開手段とを有する３次元製品提供システム。
【請求項２】
請求項１に記載の３次元提供システムにおいて、
前記印刷情報配置手段は、前記印刷情報が前記３次元形状物の複数面に跨るように重ね合わされた場合、前記印刷情報を重ね合わされた複数面にそれぞれ沿うようにして立体表示する３次元製品提供システム。
【発明の詳細な説明】
【技術分野】
【０００１】
本発明は、３次元形状物に印刷が施される３次元製品を提供する３次元製品提供システムに関する。
【背景技術】
【０００２】
従来より、３次元形状物に印刷が施されてなる３次元製品は、情報を通知することができるだけでなく、その外観によって置物として使用したり、内部に物品を収納する等の実用的な用途で使用したりすることができる。
【０００３】
特許文献１には、立体的な印刷物を提供するシステムが開示されている。このシステムは、表示画面上で選択された画像の展開図を印刷し、その展開図を用いて立体的な印刷物を提供するものである。
【０００４】
また、近年では、３次元形状物の面毎に所望の情報を印刷することができるシステムが考えられている。例えば、Ｗｅｂ上で３次元形状物の面毎に所望の情報を指定すると、その指定された情報が３次元形状物の面毎に印刷された３次元製品が提供される。この技術を用いれば、上述したような立体的な印刷物を提供する場合においても、その面毎に利用者が指定する情報を印刷することができるようになる。
【特許文献１】特開２００２−２３９２６２号公報
【発明の開示】
【発明が解決しようとする課題】
【０００５】
しかしながら、上述したように３次元形状物の面毎に指定された情報を印刷するものは、所望の情報が３次元形状物の面毎に指定され、印刷されるものであるため、その面の形状によって、３次元形状物に印刷される情報の種類及び印刷のレイアウトが限定されてしまうという問題点がある。
【０００６】
本発明は、上述したような従来の技術が有する問題点に鑑みてなされたものであって、印刷のレイアウトが限定されることなく所望の情報を３次元形状物に印刷することができる３次元製品提供システムを提供することを目的とする。
【課題を解決するための手段】
【０００７】
上記目的を達成するために本発明は、
３次元形状物に印刷が施される３次元製品を提供する３次元製品提供システムであって、
前記３次元形状物を画面上に立体表示させる立体表示手段と、
前記３次元形状物に印刷する印刷情報を選択させ、選択された印刷情報を前記画面上に平面表示させる印刷情報選択手段と、
前記印刷情報選択手段にて選択された印刷情報を前記立体表示手段にて立体表示された前記３次元形状物に重ね合わせることにより、前記３次元形状物にて前記印刷情報が印刷される配置領域を指定させ、前記印刷情報が前記３次元形状物の複数面に跨るように重ね合わされた場合、前記印刷情報が前記複数面に跨って印刷されるように当該印刷情報を配置する印刷情報配置手段と、
前記印刷情報配置手段にて前記印刷情報が配置された前記３次元形状物を展開する展開手段とを有する。
【０００８】
上記のように構成された本発明においては、立体表示手段によって画面上に立体表示された３次元形状物に対して所望の印刷情報を印刷する場合、印刷情報選択手段を用いて所望の印刷情報を選択すると、選択された印刷情報が画面上に平面表示される。そして、印刷情報選択手段にて選択された印刷情報を立体表示手段にて立体表示された３次元形状物に重ね合わせることにより、３次元形状物にて印刷情報が印刷される配置領域を指定すると、印刷情報配置手段において、印刷情報選択手段にて選択された印刷情報が、指定された配置領域に配置される。印刷情報配置手段にて印刷情報が配置された３次元形状物は、その後、展開手段にて展開され、印刷可能な形態とされる。
【０００９】
ここで、印刷情報が３次元形状物の複数面に跨るように重ね合わされた場合、印刷情報配置手段において、その印刷情報が重ね合わされた複数面に跨って印刷されるように印刷情報が配置される。これにより、印刷情報選択手段にて選択された印刷情報が、３次元形状物の複数面に跨って印刷されることが可能となり、３次元形状物の面の形状がいかなる場合であっても、印刷情報選択手段にて選択された印刷情報を３次元形状物に印刷することができるようになる。
【００１０】
また、印刷情報が３次元形状物の複数面に跨るように重ね合わされた場合、印刷情報配置手段において、印刷情報が、重ね合わされた複数面にそれぞれ沿うようにして立体表示されれば、印刷情報選択手段にて選択された印刷情報が実際に印刷された状態の３次元形状物を確認することができる。
【発明の効果】
【００１１】
以上説明したように本発明においては、選択された印刷情報を、３次元形状物のうちその印刷情報が重ね合わされた領域に配置する印刷情報配置手段において、印刷情報が３次元形状物の複数面に跨るように重ね合わされた場合、その印刷情報が重ね合わされた複数面に跨って印刷されるように配置される構成としたため、選択された印刷情報が３次元形状物の複数面に跨って印刷されることが可能となり、３次元形状物の面の形状がいかなる場合であっても、選択された印刷情報を３次元形状物に印刷することができ、印刷のレイアウトが限定されることなく所望の情報を３次元形状物に印刷することができる。
【００１２】
また、印刷情報配置手段において、印刷情報が３次元形状物の複数面に跨るように重ね合わされた場合、印刷情報を重ね合わされた複数面にそれぞれ沿うようにして立体表示するものにおいては、選択された印刷情報が実際に印刷された状態の３次元形状物を確認することができる。
【発明を実施するための最良の形態】
【００１３】
以下に、本発明の実施の形態について図面を参照して説明する。
【００１４】
図１は、本発明の３次元製品提供システムの実施の一形態を示す図である。
【００１５】
本形態は図１に示すように、インターネット５０に接続可能なパーソナルコンピュータ等の端末１０−１〜１０−ｎと、インターネット５０を介して端末１０−１〜１０−ｎからアクセス可能に構成され、３次元形状物に印刷等の加工が施される３次元製品を提供する３次元製品提供サーバ２０と、３次元製品提供サーバ２０にて指定された３次元製品を加工、作製する３次元製品加工部４０と、端末１０−１に接続されたプリンタ１１とから構成されている。なお、本形態においては、端末１０−１のみにプリンタ１１が接続されているが、他の端末１０−２〜１０−ｎにもプリンタが接続されていてもよい。
【００１６】
３次元製品提供サーバ２０は、立体表示部２１と、印刷情報選択部２２と、印刷情報配置部２３と、展開部２４と、顧客情報管理部２５と、製造データ組立部２６とから構成されている。
【００１７】
立体表示部２１は、形状データベース３１に登録された３次元形状物の立体図を用いて、３次元形状物の形状を端末１０−１〜１０−ｎの画面上に立体表示させる。
【００１８】
印刷情報選択部２２は、コンテンツデータベース３２に登録された画像データや文字データを用いて、立体表示部２１によって端末１０−１〜１０−ｎの画面上に立体表示された３次元形状物に印刷する画像や文字の印刷情報を選択させる画面を端末１０−１〜１０−ｎに送信し、選択された画像や文字の印刷情報を端末１０−１〜１０−ｎの画面に平面表示する。
【００１９】
印刷情報配置部２３は、印刷情報選択部２２から端末１０−１〜１０−ｎに送信された画面を用いて選択されて端末１０−１〜１０−ｎの画面に平面表示された画像や文字の印刷情報を、立体表示部２１によって端末１０−１〜１０−ｎの画面上に立体表示された３次元形状物のうち、端末１０−１〜１０−ｎの画面上におけるドラッグアンドドロップによって重ね合わされた領域に配置する。この際、画像や文字の印刷情報が、立体表示部２１によって端末１０−１〜１０−ｎの画面上に立体表示された３次元形状物のうち３次元形状物の複数面に跨る領域に重ね合わされた場合、その画像や文字の印刷情報を、その印刷情報が、重ね合わされた複数面に跨って印刷されるように配置し、また、その印刷情報を複数面のそれぞれに沿うようにして端末１０−１〜１０−ｎの画面に立体表示する。
【００２０】
展開部２４は、形状データベース３１に登録された３次元形状物の平面図を用いて、印刷画像配置部２３にて画像や文字の印刷情報が配置された３次元形状物を展開する。
【００２１】
顧客情報管理部２５は、顧客管理データベース３３を管理し、立体表示部２１や印刷情報選択部２２に対して、３次元形状物の形状や、３次元形状物に印刷する画像や文字の印刷情報を選択させる際の条件を与える。
【００２２】
製造データ組立部２６は、展開部２４にて展開された３次元形状物及びその展開状態における印刷情報と、顧客情報管理部２５にて顧客管理データベース３３として管理されている顧客情報とを用いて、３次元製品を製造するための製造データ３４を組み立てる。
【００２３】
また、３次元製品加工部４０は、３次元形状物に画像や文字の印刷情報を印刷する印刷部４１と、３次元形状物にレーザ光を照射することにより穴やミシン目あるいはスリットを形成するレーザ加工部４２と、３次元形状物にフィルム加工を施すフィルム加工部４３と、３次元形状物に感圧糊を塗布することにより粘着加工を施す粘着加工部４４と、３次元形状物にエンボス加工を施すことにより点字を形成する点字加工部４５と、製造データ３４に従ってこれらを制御する加工制御部４６とから構成されている。
【００２４】
以下に、上記のように構成された３次元製品提供システムにおける３次元製品の提供方法について説明する。
【００２５】
図２は、図１に示した３次元製品提供システムにおける３次元製品の提供方法を説明するためのフローチャートである。
【００２６】
端末１０−１において、３次元製品提供サーバ２０から提供される３次元製品提供サイトにアクセスすると（ステップＳ１）、まず、３次元製品提供サーバ２０からログインするためのログイン画面が送信される（ステップＳ２）。
【００２７】
３次元製品提供サーバ２０から送信されたログイン画面は、端末１０−１にて受信され、端末１０−１の画面上に表示される（ステップＳ３）。
【００２８】
端末１０−１の画面上に表示されたログイン画面には、顧客ＩＤを入力するための領域が設けられており、端末１０−１の利用者は３次元製品提供サイトから予め付与された顧客ＩＤをこの領域に入力して送信することになる（ステップＳ４）。
【００２９】
端末１０−１に入力されて送信された顧客ＩＤが３次元製品提供サーバ２０にて受信されると（ステップＳ５）、まず、３次元製品提供サーバ２０の顧客情報管理部２５において、顧客管理データベース３３が参照され、受信された顧客ＩＤが登録されているかどうかが確認される。顧客管理データベース３３には、３次元製品提供サイトに予めユーザ登録している顧客の氏名や住所、電子メールアドレス等の属性情報が顧客ＩＤと対応づけて登録されている。また、企業か個人か等の利用者の種別に応じて、提供可能な３次元形状物の種類や、その３次元形状物に印刷可能な画像や文字の印刷情報の条件が設定されており、その条件が決定され、立体表示部２１及び印刷情報選択部２２に与えられる（ステップＳ６）。
【００３０】
すると、立体表示部２１において、形状データベース３１に登録された３次元形状物の立体図を用いて、形状データベース３１に登録された３次元形状物のうち、顧客情報管理部２５から通知された条件に応じた３次元形状物を選択するために、それらの３次元形状物が立体的に表示された形状選択画面が送信される（ステップＳ７）。
【００３１】
３次元製品提供サーバ２０の立体表示部２１から送信された形状選択画面は、端末１０−１にて受信され、端末１０−１の画面上に表示される（ステップＳ８）。
【００３２】
図３は、図１に示した３次元製品提供サーバ２０の立体表示部２１から送信されて端末１０−１の画面上に表示される形状選択画面を示す図である。
【００３３】
図３に示すように、３次元製品提供サーバ２０の立体表示部２１から送信されて端末１０−１の画面上に表示される形状選択画面においては、印刷方法を選択するための印刷方法選択領域６１と、印刷等の加工が施される３次元形状物を選択するための形状選択領域６２とが設けられている。
【００３４】
印刷方法選択領域６１は、３次元製品提供サーバ２０から提供される３次元製品をプリンタ１１にてプリントアウトして作製する場合と、３次元製品加工部４０にて作製する場合とを選択するためのものであって、これらはラジオボタンによって排他的に選択可能となっている。なお、本形態においては、３次元製品提供サーバ２０から提供される３次元製品を３次元製品加工部４０にて作製する場合について説明する。
【００３５】
形状選択領域６２は、印刷等の加工が施される３次元形状物を選択するためのものであって、顧客に応じた条件に基づいて３次元製品を作製可能な３次元形状物の中から所望の３次元形状物をラジオボタンによって排他的に選択可能となっている。また、印刷方法選択領域６１にて選択された印刷方法に応じて、これらのうち選択が不可能とするものを設定することも考えられる。
【００３６】
印刷方法選択領域６１にて印刷方法が選択され、また、形状選択領域６２にて３次元形状物が選択され（ステップＳ９）、その選択内容が３次元製品提供サーバ２０にて認識されると（ステップＳ１０）、立体表示部２１によって形状選択領域６２にて選択された３次元形状物が立体表示されるとともに、印刷情報選択部２２によって形状選択領域６２にて選択された３次元形状物に対するデザインを作成するためのデザイン作成画面が３次元製品提供サーバ２０から送信される（ステップＳ１１）。
【００３７】
３次元製品提供サーバ２０から送信されたデザイン作成画面は、端末１０−１にて受信され、端末１０−１の画面上に表示される（ステップＳ１２）。
【００３８】
図４は、図１に示した３次元製品提供サーバ２０から送信されて端末１０−１の画面上に表示されるデザイン作成画面を示す図である。
【００３９】
図４に示すように、３次元製品提供サーバ２０から送信されて端末１０−１の画面上に表示されるデザイン作成画面においては、立体表示部２１によって形状選択領域６２にて選択された３次元形状物６３が立体表示されるとともに、この３次元形状物６３に対する加工種別を選択するための加工種別選択ボタン６４と、３次元形状物６３への印刷情報の配置を確定するための確定ボタン６５とが設けられている。また、立体表示された３次元形状物６３を回転表示させるための回転指示ボタン６７と、３次元形状物６３を部分的に拡大表示するためのズームボタン６６とが設けられている。
【００４０】
図４に示したようなデザイン作成画面が端末１０−１に表示された後、加工種別選択ボタン６４を押下することにより、立体表示された３次元形状物６３に対する加工種別を選択することになる。なお、加工種別選択ボタン６４としては、立体表示された３次元形状物６３に文字を印刷するためのボタンと、立体表示された３次元形状物６３に画像を印刷するためのボタンと、立体表示された３次元形状物６３に印刷する文字を入力するためのボタンと、立体表示された３次元形状物６３に印刷する画像を取り込むためのボタンと、立体表示された３次元形状物６３にレーザ加工やフィルム加工、粘着加工、点字加工を行うためのボタンとが設けられており、本形態においては、立体表示された３次元形状物６３に画像を印刷するためのボタンや、立体表示された３次元形状物６３に文字を印刷するためのボタンが押下されたことによって３次元形状物６３に対する印刷カテゴリーが指定された場合について説明する（ステップＳ１３）。なお、画像を取り込むためのボタンが押下された場合は、端末１０−１に対して、画像をアップロードするための画面が提供され、これを用いて画像がアップロードされると、アップロードされた画像が端末１０−１の利用者の顧客ＩＤとともにコンテンツデータベース３２に登録されることになる。
【００４１】
加工種別選択ボタン６４のうち、立体表示された３次元形状物６３に画像を印刷するためのボタンや、立体表示された３次元形状物６３に文字を印刷するためのボタンが押下されたことによって３次元形状物６３に対する印刷カテゴリーが指定され、立体表示された３次元形状物６３に画像や文字を印刷する印刷カテゴリーが指定されたことが３次元製品提供サーバ２０にて認識されると（ステップＳ１４）、３次元製品提供サーバ２０において、立体表示部２１によって形状選択領域６２にて選択された３次元形状物が立体表示されるとともに、印刷情報選択部２２によってコンテンツデータベース３２に登録された画像データや文字データを用いて、３次元形状物に印刷する画像や文字の印刷情報を選択させるコンテンツ選択画面が送信される（ステップＳ１５）。
【００４２】
３次元製品提供サーバ２０から送信されたコンテンツ選択画面は、端末１０−１にて受信され、端末１０−１の画面上に表示される（ステップＳ１６）。
【００４３】
図５は、図１に示した３次元製品提供サーバ２０から送信されて端末１０−１の画面上に表示されるコンテンツ選択画面を示す図であり、（ａ）は３次元形状物に画像を印刷する印刷カテゴリーが指定された場合の画面構成を示す図、（ｂ）は３次元形状物に文字を印刷する印刷カテゴリーが指定された場合の画面構成を示す図である。
【００４４】
ステップＳ１３にて３次元形状物に画像を印刷する印刷カテゴリーが指定された場合は図５（ａ）に示すように、３次元製品提供サーバ２０から送信されて端末１０−１の画面上に表示されるコンテンツ選択画面においては、立体表示部２１によって形状選択領域６２にて選択された３次元形状物６３が立体表示されるとともに、コンテンツデータベース３２に登録された画像データが選択可能にサムネイル表示された画像選択領域７１が設けられている。
【００４５】
また、ステップＳ１３にて３次元形状物に文字を印刷する印刷カテゴリーが指定された場合は図５（ｂ）に示すように、３次元製品提供サーバ２０から送信されて端末１０−１の画面上に表示されるコンテンツ選択画面においては、立体表示部２１によって形状選択領域６２にて選択された３次元形状物６３が立体表示されるとともに、コンテンツデータベース３２に登録された文字データが選択可能に項目表示された文字選択領域７２が設けられている。
【００４６】
図５（ａ），（ｂ）に示したようなコンテンツ選択画面が端末１０−１に表示された後、画像選択領域７１や文字選択領域７２にて、３次元形状物６３に印刷される画像データや文字データが選択されると（ステップＳ１７）、３次元製品提供サーバ２０において、選択された画像データや文字データが認識される（ステップＳ１８）。なお、本形態においては、ステップＳ１３にて３次元形状物に画像を印刷する印刷カテゴリーが指定され、画像選択領域７１にサムネイル表示された画像データの中から、３次元形状物６３に印刷される画像データが選択された場合について説明する。
【００４７】
３次元製品提供サーバ２０においては、図５（ａ）に示したコンテンツ選択画面の画像選択領域７１に、ステップＳ１７にて選択された画像データが表示された印刷情報配置画面が送信される（ステップＳ１９）。
【００４８】
３次元製品提供サーバ２０から送信された印刷情報配置画面は、端末１０−１にて受信され、端末１０−１の画面上に表示される（ステップＳ２０）。
【００４９】
図６は、図１に示した３次元製品提供サーバ２０から送信されて端末１０−１の画面上に表示される印刷情報配置画面を示す図である。
【００５０】
図６に示すように、３次元製品提供サーバ２０から送信されて端末１０−１の画面上に表示される印刷情報配置画面においては、印刷情報配置部２３によって、図５（ａ）に示したコンテンツ選択画面の画像選択領域７１に、ステップＳ１７にて選択された画像データ７３が平面表示されており、この画像データ７３を３次元形状物６３上の所望の領域にドラッグアンドドロップによって移動させて重ね合わせることにより、３次元形状物６３上における画像データ７３の配置領域が指定される（ステップＳ２１）。
【００５１】
図７は、図１に示した３次元製品提供サーバ２０から送信されて端末１０−１の画面上に表示された印刷情報配置画面上における画像データ７３の配置領域の指定方法を説明するための図である。
【００５２】
図１に示した３次元製品提供サーバ２０から送信されて端末１０−１の画面上に表示された印刷情報配置画面に立体表示された３次元形状物６３上に、ステップＳ１７にて選択した画像データ７１を配置する場合、図７に示すように、３次元製品提供サーバ２０から送信されて端末１０−１の画面上に表示された印刷情報配置画面において、画像データ７３を３次元形状物６３上の所望の領域にドラッグアンドドロップによって移動させて重ね合わせる。この際、図７に示すように、画像データ７３を、３次元形状物６３の複数面に跨るように重ね合わせることにより、画像データ７３の配置領域として３次元形状物６３の複数面に跨る領域を指定することができる。なおこの際、印刷情報配置画面上の回転指示ボタン６７を用いて３次元形状物６３を回転させ、画像データ７３を配置する面や領域を選択することができる。また、ステップＳ８にて端末１０−１に表示された３次元形状物の中には、画像データや文字データを配置できない領域を設定することもでき、その３次元形状物については、画像データや文字データをドラッグアンドドロップでその領域に重ね合わせることができないように制御されている。
【００５３】
このように指定された画像データ７３の配置領域が３次元製品提供サーバ２０の印刷情報配置部２３にて認識されると（ステップＳ２２）、印刷情報配置部２３において、画像データ７３が指定された領域に配置され、３次元形状物６３と画像データ７３とが、３次元形状物６３上における画像データ７３の配置領域にしたがって合成される（ステップＳ２３）。この際、上述したように、画像データ７３の配置領域として３次元形状物６３の複数面に跨る領域が指定された場合は、印刷情報配置部２３において、画像データ７３が、配置された複数面に跨って印刷されるように配置され、また、画像データ７３が、配置された複数面にそれぞれに沿うようにして立体表示加工される。
【００５４】
そして、３次元形状物６３と画像データ７３とが合成された印刷情報合成画面が３次元製品提供サーバ２０から送信される（ステップＳ２４）。
【００５５】
３次元製品提供サーバ２０から送信された印刷情報合成画面は、端末１０−１にて受信され、端末１０−１の画面上に表示される（ステップＳ２５）。
【００５６】
図８は、図１に示した３次元製品提供サーバ２０から送信されて端末１０−１の画面上に表示される印刷情報合成画面を示す図である。
【００５７】
図８に示すように、３次元製品提供サーバ２０から送信されて端末１０−１の画面上に表示される印刷情報合成画面においては、３次元形状物６３上に、ステップＳ１７にて選択された画像データ７３が、ステップＳ２１にて指定された領域に配置されており、かつ、その領域が３次元形状物６３の複数面を跨ぐ領域であることから、画像データ７３が、３次元形状物６３の複数面にそれぞれ沿うようにして立体表示されている。すなわち、図７に示したものに対して、画像データ７３のうち、３次元形状物６３の上面に配置される領域が３次元形状物６３の上面に沿って倒れこむように表示されている。これにより、端末１０−１の利用者は、選択された画像データ７３が実際に印刷された状態の３次元形状物６３を確認することができる。
【００５８】
上述したステップＳ１３〜Ｓ２５までの処理が、３次元形状物６３に印刷したい情報の全てについて繰り返し行われた後（ステップＳ２６）、確定ボタン６５が押下されると（ステップＳ２７）、３次元製品提供サーバ２０の展開部２４において、形状データベース３１に登録された３次元形状物の平面図を用いて、画像データや文字データが合成された３次元形状物が展開され、どの面にどの画像データや文字データが配置されるかを示すレイアウト情報が決定される（ステップＳ２８）。
【００５９】
その後、３次元製品提供サーバ２０において、画像データや文字データが合成された３次元形状物やその展開図等が掲載された確認画面が送信される（ステップＳ２９）。
【００６０】
３次元製品提供サーバ２０から送信された確認画面は、端末１０−１にて受信され、端末１０−１の画面上に表示される（ステップＳ３０）。
【００６１】
図９は、図１に示した３次元製品提供サーバ２０から送信されて端末１０−１の画面上に表示される確認画面を示す図である。
【００６２】
図９に示すように、３次元製品提供サーバ２０から送信されて端末１０−１の画面上に表示される確認画面においては、画像データや文字データが合成された３次元形状物６３と、その展開図８１が掲載されているとともに、３次元形状物６３の提供方法を選択するための提供方法選択領域８２と、加工種別選択ボタン６４のうち、３次元形状物６３にレーザ加工やフィルム加工、粘着加工、点字加工を行うためのボタンが押下され、指定された加工条件が掲載された加工条件表示領域８３と、３次元形状物６３の送付先や支払い方法を指定するための送付情報指定領域８４と、料金が掲載された料金表示領域８５と、ＯＫボタン８６とが設けられている。なお、提供方法選択領域８２においては、３次元形状物６３を立体物に組み立てて提供するかあるいは組み立てずに展開した状態で提供するかがラジオボタンによって排他的に選択可能となっている。また、展開図８１には、加工条件表示領域８３に示される３次元形状物６３に対する加工条件による粘着加工やミシン目加工等が斜線や破線等によって示されている。
【００６３】
図９に示した確認画面に対して、提供方法選択領域８２にて３次元形状物６３の提供方法を選択するとともに、送付情報入力領域８４に３次元形状物６３の送付先や支払い方法を入力してＯＫボタン８６を押下すると、３次元形状物に指定された画像データや文字データが指定された領域に印刷される３次元製品の作製が受け付けられ、製造データ組立部２６にて製造データ３４が組み立てられ、３次元製品提供サーバ２０から３次元製品加工部４０に与えられる。
【００６４】
３次元製品提供サーバ２０から３次元製品加工部４０に与えられる製造データ３４には、３次元形状物の平面図と、３次元形状物に印刷されるコンテンツデータと、３次元形状物のどの面にどのコンテンツデータを配置するかを示すレイアウト情報と、３次元形状物に対する加工条件による加工内容を示す加工情報と、３次元製品の送付先の情報等が含まれており、３次元製品加工部４０において、この製造データ３４を用いて３次元製品が作製される。印刷部４１においては、３次元形状物に画像や文字の印刷情報が印刷され、レーザ加工部４２においては、３次元形状物にレーザ光を照射することにより穴やミシン目あるいはスリットが形成され、フィルム加工部４３においては、３次元形状物にフィルム加工が施され、粘着加工部４４においては、３次元形状物に感圧糊を塗布することにより粘着加工が施され、点字加工部４５においては、３元形状物にエンボス加工を施すことにより点字が形成される。これらの加工は、加工種別選択ボタン６４の押下による指定に従って加工制御部４６の制御によって行われる。例えば、３次元形状物の上面を含む領域に、レーザ加工部４２においてミシン目や穴を形成することにより、画像や文字が印刷されたごみ箱を作製することが考えられる。
【００６５】
３次元製品加工部４０にて作製された３次元製品は、製造データ３４に含まれる送付先の情報に従って送付先に送付されることになる。なお、図９に示した確認画面における提供方法選択領域８２にてシート状での製品の提供が選択された場合は、３次元製品加工部４０において、製品の展開図が印刷された後、製品が組み立てられずに送付先に送付されることになる。
【００６６】
また、ステップＳ９にて３次元製品提供サーバ２０から提供される３次元製品をプリンタ１１にてプリントアウトして作製することが指定された場合は、３次元製品提供サーバ２０から３次元製品加工部４０に製造データ３４が与えられず、製造データ３４のうち、３次元形状物の平面図と、３次元形状物に印刷されるコンテンツデータと、３次元形状物のどの面にどのコンテンツデータを配置するかを示すレイアウト情報とが、顧客管理データベース３３に登録された顧客の電子メールアドレスを用いて端末１０−１に送信され、プリンタ１１にて印字出力されることになる。これは、例えば、製品を印刷するためのデータが、ＰＤＦデータ等のデータ形式によって３次元製品提供サーバ２０から端末１０−１に送信されることによって実現されることになる。
【００６７】
なお、本形態においては、図４〜図９に示した立方体の３次元形状物６３の２面に跨って画像を印刷する場合を例に挙げて説明したが、図３に示した形状選択領域６２に掲載された他の３次元形状物に文字や画像を印刷する場合、画像や文字が印刷される面が３面以上である場合においても、本発明を適用できることは言うまでもない。
【図面の簡単な説明】
【００６８】
【図１】本発明の３次元製品提供システムの実施の一形態を示す図である。
【図２】図１に示した３次元製品提供システムにおける３次元製品の提供方法を説明するためのフローチャートである。
【図３】図１に示した３次元製品提供サーバの立体表示部から送信されて端末の画面上に表示される形状選択画面を示す図である。
【図４】図１に示した３次元製品提供サーバから送信されて端末の画面上に表示されるデザイン作成画面を示す図である。
【図５】図１に示した３次元製品提供サーバから送信されて端末の画面上に表示されるコンテンツ選択画面を示す図であり、（ａ）は３次元形状物に画像を印刷する印刷カテゴリーが指定された場合の画面構成を示す図、（ｂ）は３次元形状物に文字を印刷する印刷カテゴリーが指定された場合の画面構成を示す図である。
【図６】図１に示した３次元製品提供サーバから送信されて端末の画面上に表示される印刷情報配置画面を示す図である。
【図７】図１に示した３次元製品提供サーバから送信されて端末の画面上に表示された印刷情報配置画面上における画像データの配置領域の指定方法を説明するための図である。
【図８】図１に示した３次元製品提供サーバから送信されて端末の画面上に表示される印刷情報合成画面を示す図である。
【図９】図１に示した３次元製品提供サーバから送信されて端末の画面上に表示される確認画面を示す図である。
【符号の説明】
【００６９】
１０−１〜１０−ｎ    端末
１１    プリンタ
２０    ３次元製品提供サーバ
２１    立体表示部
２２    印刷情報選択部
２３    印刷情報配置部
２４    展開部
２５    顧客情報管理部
２６    製造データ組立部
３１    形状データベース
３２    コンテンツデータベース
３３    顧客管理データベース
３４    製造データ
４０    ３次元製品加工部
４１    印刷部
４２    レーザ加工部
４３    フィルム加工部
４４    粘着加工部
４５    点字加工部
４６    加工制御部
５０    インターネット
６１    印刷方法選択領域
６２    形状選択領域
６３    ３次元形状物
６４    加工種別選択ボタン
６５    確定ボタン
６６    ズームボタン
６７    回転指示ボタン
７１    画像選択領域
７２    文字選択領域
７３    画像データ
８１    展開図
８２    提供方法選択領域
８３    加工条件表示領域
８４    送付情報指定領域
８５    料金表示領域
８６    ＯＫボタン
【図１】
2008134788.tif 000003
【図２】
2008134788.tif 000004
【図３】
2008134788.tif 000005
【図４】
2008134788.tif 000006
【図５】
2008134788.tif 000007
【図６】
2008134788.tif 000008
【図７】
2008134788.tif 000009
【図８】
2008134788.tif 000010
【図９】
2008134788.tif 000011